(57)【特許請求の範囲】
【請求項１】
背面に複数の放熱フィンが設けられ、地面と平行でない支持面を提供する支持パネルと、
前記支持パネルの支持面に結合され、複数のＬＥＤが実装された基板と、
前記基板の前面部に位置して、前記複数のＬＥＤから放出される光を反射して地面に配光パターンを形成する反射面と、
を含み、
前記支持面を提供する支持パネルと前記放熱フィンとが一体に設けられ、
前記反射面が前記支持面と分離可能な状態で提供する配光パターン部の内面で提供され、
前記支持面の前面側に前記配光パターン部が収容できる蓋部が前記支持面を提供する支持パネルと一体に設けられたことを特徴とする、任意配光が可能なＬＥＤ照明装置。
【請求項２】
前記基板が複数に分割され、各分割された基板にＬＥＤが選択的に実装されることを特徴とする、請求項１に記載の任意配光が可能なＬＥＤ照明装置。
【請求項３】
前記支持パネルの支持面には複数の傾斜支持部をさらに含み、前記複数の傾斜支持部の各々に前記分割された各基板が固定されることを特徴とする、請求項２に記載の任意配光が可能なＬＥＤ照明装置。
【請求項４】
前記反射面が球面を水平方向と垂直方向の中心に分割した反射部の内面であることを特徴とする、請求項１に記載の任意配光が可能なＬＥＤ照明装置。
【請求項５】
前記球面は水平方向の直径と垂直方向の直径とが同一であることを特徴とする、請求項４に記載の任意配光が可能なＬＥＤ照明装置。
【請求項６】
前記球面は水平方向の直径と垂直方向の直径とが互いに異なることを特徴とする、請求項４に記載の任意配光が可能なＬＥＤ照明装置。
【請求項７】
前記基板の下部に設けられて、前記反射部で反射された光を反射する反射板をさらに含むことを特徴とする、請求項１に記載の任意配光が可能なＬＥＤ照明装置。
【請求項８】
前記反射板の前面部に位置し、前記反射部の下部空間部を覆う透光カバーをさらに含むことを特徴とする、請求項７に記載の任意配光が可能なＬＥＤ照明装置。
【請求項９】
前記透光カバーが、
透明、半透明、または色相を有することを特徴とする、請求項８に記載の任意配光が可能なＬＥＤ照明装置。
【請求項１０】
前記分割された基板が、各々前記支持パネルの支持面を基準に一定角度に傾くように設置されたことを特徴とする、請求項２に記載の任意配光が可能なＬＥＤ照明装置。
【請求項１１】
前記支持パネルの背面側で前記支持パネルを支持し、ヒンジを備えて角度の調整が可能なハウジングをさらに含む、請求項１乃至１０のうち、いずれか１項に記載の任意配光が可能なＬＥＤ照明装置。
【請求項１２】
前記ハウジングが複数の結合突出部を備え、前記支持パネルに前記結合突出部の端部が結合されて前記支持パネルの前記放熱フィンとの間が離隔した状態で固定することを特徴とする、請求項１１に記載の任意配光が可能なＬＥＤ照明装置。
【請求項１３】
前記配光パターン部は、
前記反射面の中央で前記基板のＬＥＤを左右に分割する分割部が下部側に延びることを特徴とする、請求項１に記載の任意配光が可能なＬＥＤ照明装置。
【請求項１４】
前記放熱フィンを含む放熱部の背面側には支持台の挿入固定のための結合孔が設けられたことを特徴とする、請求項１に記載の任意配光が可能なＬＥＤ照明装置。
【請求項１５】
前記放熱部の底面側には前記結合孔と連通する結線空間部が設けられたことを特徴とする、請求項１４に記載の任意配光が可能なＬＥＤ照明装置。
【請求項１６】
前記結線空間部の下部側に固定されて無線通信中継器、アンテナ、カメラなどを選択的に収容することができる空間を提供する収容部をさらに含む、請求項１５に記載の任意配光が可能なＬＥＤ照明装置。
【請求項１７】
前記放熱部の放熱フィンの各々は中央側の幅が上端部及び下端部の幅より大きいことを特徴とする、請求項１４に記載の任意配光が可能なＬＥＤ照明装置。
【発明の詳細な説明】
【技術分野】
【０００１】
本発明は任意配光が可能なＬＥＤ照明装置に関し、ＬＥＤを垂直方向に配置し、かつ位置によって配光パターンを調節することができる、任意配光が可能なＬＥＤ照明装置に関する。
【背景技術】
【０００２】
一般に、街灯、装飾灯、保安灯などのＬＥＤを用いた照明装置は、ＬＥＤを実装する基板が地面と平行な方向に配置されている。勿論、前後左右に若干の設置角度が変更されて照射角を調整する構造は提案されているが、ＬＥＤの光放出面が地面と垂直方向または垂直に近い構成は見つけることが難しい。
【０００３】
このように、従来のＬＥＤを用いた照明装置は、ＬＥＤの光放出面を地面に向けているため、このＬＥＤの配光パターンを調整することが非常に困難であり、複数のＬＥＤを実装する基板を支持するハウジングの構造を変更し、各ＬＥＤ合わせの指向角を変更して全体照明装置の配光パターンを所望の形状に作っていた。
【０００４】
これによって、従来のＬＥＤを用いた照明装置は、その照明装置の用途によって各々異なるハウジングを作らなければならず、一旦ハウジングが作られた後には、その配光パターンの調節が不可能であるか、非常に困難であるという問題があった。
【０００５】
併せて、従来にはＬＥＤの光放出面の反対側に配置される放熱フィンが地面と平行に配置されるため、空気の対流が容易でなく放熱効果が低く、ＬＥＤの寿命が短縮される問題があった。
【０００６】
例えば、特許文献１にはＬＥＤを用いたトンネルランプに関して記載されている。より詳しくは、ＬＥＤ基板を道路に水平に設置し、ハウジングがＬ字型に折り曲げられたものを使用することによって、運転者の眩しさを防止することができるトンネルランプに関して記載されている。
【０００７】
しかしながら、このような特許文献１を含んだ従来のＬＥＤを用いた照明灯は、道路面に平行にＬＥＤの光放出面がその道路面に向けて設置されているため、そのＬＥＤ固有の光照射角度に符合する配光パターンを有するようになる。
【０００８】
これは、一般的な街灯とトンネルランプの配光パターンに差があることにもかかわらず、任意に配光パターンを形成することが非常に困難であるという問題があり、このような問題を解決するために、特定の配光パターンに変換させるレンズを使用するようになる。
【０００９】
上記レンズは、ＬＥＤ照明灯の価格上昇要因となると共に、光損失を誘発して照度を低めるようになる。これは、道路面に提供されるべき照度が低くなるため、レンズを使用する場合、より多いＬＥＤを使用して道路面の照度を合せなければならず、これは照明灯の製造費用の増加及び電力消耗の増加をもたらしてＬＥＤ照明の長所を低下させる問題があった。
【先行技術文献】
【特許文献】
【００１０】
【特許文献１】韓国公開特許第２００３−００４４３２４号公報
【発明の概要】
【発明が解決しようとする課題】
【００１１】
上記のような問題点を勘案した本発明が解決しようとする技術的課題は、街灯、保安灯、装飾灯など、ＬＥＤ照明装置の用途にかかわらず、１つのハウジング構造を共通に使用することができる、任意配光が可能なＬＥＤ照明装置を提供することにある。
【００１２】
また、本発明が解決しようとする他の技術的課題は、容易に配光パターンを調節、変更することが可能な任意配光が可能なＬＥＤ照明装置を提供することにある。
【００１３】
併せて、本発明が解決しようとする他の技術的課題は、放熱特性に優れる任意配光が可能なＬＥＤ照明装置を提供することにある。
【課題を解決するための手段】
【００１４】
上記のような課題を解決するための本発明の任意配光が可能なＬＥＤ照明装置は、背面に複数の放熱フィンが設けられ、地面と平行でない支持面を提供する支持パネルと、上記支持パネルの支持面に結合され、複数のＬＥＤが実装された基板と、上記基板の前面部に位置するように上記支持パネルに固定されて、上記複数のＬＥＤから放出される光を反射して地面に配光パターンを形成する反射面を提供する反射部とを含む。
【発明の効果】
【００１５】
本発明の任意配光が可能なＬＥＤ照明装置は、ＬＥＤの光放出面が地面に平行に配置されないようにし、そのＬＥＤの放出光を地面側に反射する曲面の反射部を通じて配光がなされるように構成されて、上記曲面の反射部の形状、ＬＥＤの配置、ＬＥＤ光放出面と地面とがなす角度または曲面反射部で反射された光を再反射する平面反射部の有無によって多様な配光パターンを形成することが可能になり、同一な構造を使用して多様な照明応用分野に適用できる効果がある。
【００１６】
また、本発明の任意配光が可能なＬＥＤ照明装置は、ＬＥＤの光放出面が地面に平行でない状態に配置され、そのＬＥＤで発生する熱を放出する放熱フィンが地面と平行でないように構成して、対流がより自然になされて放熱特性を向上させることによって、ＬＥＤ照明装置の寿命を延長させることができる効果がある。
【図面の簡単な説明】
【００１７】
【図１】本発明の好ましい実施形態に従う任意配光が可能なＬＥＤ照明装置の分離斜視図である。
【図２】図１の結合状態断面図である。
【図３】多様な曲率を有する図１の反射部を説明するための模式図である。
【図４】図１及び図２に図示した基板の他の実施形態の構成図である。
【図５】図４における第１基板と第２基板の設置状態の他の実施構成図である。
【図６】図１及び図２に図示した上記支持パネルの背面の一実施構成図である。
【図７】本発明の他の実施形態に従う任意配光が可能なＬＥＤ照明装置の構成図である。
【図８】本発明の他の実施形態に従う任意配光が可能なＬＥＤ照明装置の断面構成図である。
【図９】本発明の他の実施形態に従う任意配光が可能なＬＥＤ照明装置の構成図である。
【図１０】本発明の他の実施形態に従う任意配光が可能なＬＥＤ照明装置の構成図である。
【図１１】本発明の他の実施形態に従う任意配光が可能なＬＥＤ照明装置の分解斜視図である。
【図１２】図１１におけるハウジングの詳細構成図である。
【図１３】図１１における配光パターン部の詳細構成図である。
【図１４】図１１における放熱フィンの断面構成図である。
【図１５】本発明の他の実施形態に従う任意配光が可能なＬＥＤ照明装置の底面側斜視図である。
【発明を実施するための形態】
【００１８】
以下、本発明の任意配光が可能なＬＥＤ照明装置の好ましい実施形態を添付した図面を参照して詳細に説明する。
【００１９】
図１は本発明の好ましい実施形態に従う任意配光が可能なＬＥＤ照明装置の分離斜視図であり、図２は図１のＬＥＤ照明装置の結合状態断面構成図である。
【００２０】
図１及び図２を各々参照すると、本発明の好ましい実施形態に従う任意配光が可能なＬＥＤ照明装置は、背面に垂直方向に長い形態の放熱フィン１１が設けられた半円板型支持パネル１０と、支持パネル１０の正面部に結合され、複数のＬＥＤ２１を実装する基板２０と、支持パネル１０に固定され、ＬＥＤ２１から放出された光を反射させて地面に配光パターン４０を形成する曲面の反射面３１を提供する反射部３０を含んで構成される。
【００２１】
以下、上記のように構成される本発明の任意配光が可能なＬＥＤ照明装置の構成及び作用をより詳細に説明する。
【００２２】
まず、半円板型の支持パネル１０は、前面部が平坦な半円型の形状であり、背面には垂直方向に長く設けられた複数の放熱フィン１１が設けられている。
【００２３】
支持パネル１０は熱の伝導が容易な金属であり、その支持面には基板２０が結合固定される。
【００２４】
基板２０はやはり半円板型の構造を有しており、前面部には複数のＬＥＤ２１が設けられている。図面には省略されているが、支持パネル１０には電線の連結のためのホールが設けられたものであることがあり、その基板２０に電源を供給することができる。
【００２５】
支持パネル１０の支持面の周辺には反射部３０の先端部が結合される。この時の結合は、ボンディングや嵌合結合などの結合手段を使用することができる。
【００２６】
反射部３０は球の水平方向及び垂直方向に各々分割した形状の球面体であり、内側に曲面の反射面３１が設けられる。
【００２７】
この反射面３１は、ＬＥＤ２１から放出される光が反射されて下部側の空間を通じて光が照射できるようにする役割をし、この反射面３１の曲率によって多様な配光パターン４０を具現することができる。
【００２８】
また、ＬＥＤ２１の位置によって反射部３０の反射面３１に入射される光入射角に差が発生し、そのＬＥＤ２１の位置によって互いに異なる配光パターン４０が得られるようになる。
【００２９】
即ち、本発明はＬＥＤ２１の基板２０上の配列形態と反射部３０の反射面３１の曲率により任意に多様な配光パターン４０を作ることができるようになる。
【００３０】
図３は、多様な曲率を有する反射部３０を説明するための模式図である。
【００３１】
図３を参照すると、半径（ａ）と高さ（ｂ）とが同一な反射部３０ａは完全な球面体を水平方向と垂直方向の中心を各々分割したものであり、断面が楕円の球面体を水平方向と垂直方向の中心を各々分割した例として、半径（ａ）が高さ（ｂ）に比べてより小さい反射部３０ｂと、半径（ａ）が高さ（ｂ）に比べてより大きい反射部３０ｃが例として挙げられる。
【００３２】
反射部３０ａ、３０ｂ、３０ｃの例は、多様な形態の垂直水平に２分割された球面体を本発明に適用できることを示すものであり、各反射部３０ａ、３０ｂ、３０ｃの共通点は、曲面の反射面３１を提供して入射される光を多様な形態に反射させて任意の配光パターン４０を作ることができるようにするものである。
【００３３】
ＬＥＤ２１は全て反射部３０ａ、３０ｂ、３０ｃの底面端部より上方に位置するようになり、そのＬＥＤ２１の光は全て反射面３１を通じて反射された後、その反射部３０ａ、３０ｂ、３０ｃの底面側の空間を通じて地面側に照射される。
【００３４】
図４は、図１及び図２に図示した基板２０の他の実施形態の構成図である。
【００３５】
基板２０は必要によって第１基板２０ａと第２基板２０ｂとに垂直分割されたものであることがあり、必要によって、第１基板２０ａまたは第２基板２０ｂのみに選択的にＬＥＤ２１を実装することができる。
【００３６】
このような基板の分割は、前述したように、ＬＥＤ２１の配置によって配光パターン４０の形状を変更することができ、任意の配光パターン４０の形状によって第１基板２０ａまたは第２基板２０ｂのみにＬＥＤ２１を配置することができる。
【００３７】
図４の例では、基板２０を２つの基板２０ａ、２０ｂに分割した例を図示及び説明したが、必要によって、より多い数の基板２０に分割することができ、各分割された基板にＬＥＤ２１の配置有無、配列形態を調節して所望の配光パターン４０を形成することができる。
【００３８】
また、上記のように分割された複数の基板は、所望の配光パターンのために支持パネル１０の前面部を基準に一定角度に傾くように設置することができることも当業者には当然に類推できるものである。
【００３９】
図５は、第１基板２０ａ及び第２基板２０ｂの設置状態の他の実施構成図である。
【００４０】
図５を参照すると、支持パネル１０の前面部には傾斜支持部１２が設けられて、その傾斜支持部１２に第１基板２０ａ及び第２基板２０ｂが各々結合されて、第１基板２０ａ及び第２基板２０ｂに設けられたＬＥＤ２１の照射方向に差を設けるようにすることができる。
【００４１】
第１基板２０ａ及び第２基板２０ｂの光照射角は０度を超過し、１８０度未満の角（θ）であり、傾斜支持部１２によってその角（θ）を調節できるようになる。
【００４２】
このように分割された基板２０の指向角を調整して多様な形状の配光パターンを任意に作ることができるようになる。
【００４３】
即ち、本発明はハウジングの構造変化なく多様な配光パターンの任意具現が可能になる。
【００４４】
図６は、支持パネル１０の背面の一実施構成図である。
【００４５】
図６を参照すると、支持パネル１０の背面には放熱フィン１１が設けられており、その放熱フィン１１が垂直方向に長い形態に配置される。このような配置は、ＬＥＤ２１で発生した熱が放熱フィン１１に伝達されて、その放熱フィン１１の周辺空気と熱交換される時、熱交換された空気が上向きに移動しながら自然な空気の対流を発生させる。
【００４６】
この空気の対流は、放熱フィン１１の間の谷部分で上向きの気流を生成し、下部側の空気が対流により放熱フィン１１側に持続的に流入するようにして、放熱特性を向上させることができるようになる。
【００４７】
周知のように、ＬＥＤ２１で発生した熱によりＬＥＤ２１自体の寿命が短縮されるので、上記のように放熱特性を改善させて、ＬＥＤ２１の寿命短縮を防止することができる。
【００４８】
図７は、本発明の他の実施形態に従う任意配光が可能なＬＥＤ照明装置の構成図である。
【００４９】
図７を参照すると、本発明の他の実施形態に従う任意配光が可能なＬＥＤ照明装置は、図１及び図２で図示した本発明の一実施形態の構成の全体の上下角度を調節することができるハウジング５０をさらに含む。
【００５０】
ハウジング５０はヒンジ５１を備え、一端に結合突出部５２が位置して放熱フィン１１と密着しない状態で支持パネル１０を固定するようになる。
【００５１】
支持パネル１０とハウジング５０との間に間隔を置いて、空気の対流が遮断されることによる放熱効果の低下を防止する。
【００５２】
また、ハウジング５０のヒンジ５１を用いて支持パネル１０、基板２０、及び反射部３０の結合体の角度を調節することができ、この角度の調節によっても多様な配光パターンを具現することができる。
【００５３】
この際、ヒンジ５１を用いた角度の調整は地面と垂直な基準線で調整角（θ１）以内の範囲で調整されることができ、調整角（θ１）は３０乃至１２０度の角度が好ましい。３０度未満の場合、ＬＥＤ２１の光放出面と地面とが略平行な程度となり、１２０度を超過する場合、ＬＥＤ２１の光放出面が天方向に向けられるため、反射部３０で反射された光の配光パターン４０の特定が困難であり、照明として要求される最小限の照度を得ることが容易でない。
【００５４】
図８は、本発明の他の実施形態に従う任意配光が可能なＬＥＤ照明装置の断面構成図である。
【００５５】
図８を参照すると、支持パネル１０が円板型の構造を有し、基板２０は半円板型の構造であって、その支持パネル１０の基板２０の結合部分の下部側には平面の反射板６０が位置する。
【００５６】
平面の反射板６０は、反射部３０の反射面で反射されたＬＥＤ２１の光をまた地面に反射させて配光パターン４０を形成する役割をする。この反射板６０は、ＬＥＤ２１の光が反射板６０を基準に後方に照射されることを一部遮断するようになり、その反射板６０の有無によって、配光パターン４０の形状に差があるようになる。
【００５７】
このように本発明は、反射板６０の有無によっても地面に照射される光のパターンである配光パターン４０を変更することができるので、より多様な配光パターン４０を有するＬＥＤ照明装置を具現できるようになる。
【００５８】
図９は、本発明の他の実施形態に従う任意配光が可能なＬＥＤ照明装置の構成図である。
【００５９】
図９を参照すると、図８のように、反射板６０を備える構成において、反射部３０の下部側に球形の透光カバー７０をさらに含む。
【００６０】
透光カバー７０は反射面がなく、反射部３０及び反射板６０で反射されたＬＥＤ２１の光を透光させるものであって、外部のホコリや湿気からＬＥＤ２１を実装した基板２０を保護する役割をする。
【００６１】
透光カバー７０は透明なものであることがあり、照明装置の使用目的によって半透明であるか、特定の色相を有するものとすることができる。
【００６２】
前述したように、本発明は、反射部３０の曲率、ＬＥＤ２１の配置、ＬＥＤ２１の指向角、支持パネル１０の傾斜度、及び反射板６０の有無によって、任意の配光パターン４０を作ることができるため、同一な構造を使用しながらも照明装置の応用分野にかかわらず適用できるようになる。
【００６３】
本発明は、実施形態に限定されず、本発明の技術的要旨を逸脱しない範囲内で多様に修正、変形されて実施できることは、本発明が属する技術分野で通常の知識を有する者において自明なものである。
【００６４】
例えば、図１０は本発明の他の実施形態に従う任意配光が可能なＬＥＤ照明装置の分解斜視図であって、支持パネル１０を半円板型または円板型でない四角板型のものを使用することができる。
【００６５】
図１１は本発明の他の実施形態に従う任意配光が可能なＬＥＤ照明装置の分解斜視図であり、図１２は図１１におけるハウジング１００の詳細斜視図である。
【００６６】
図１１及び図１２を参照すると、本発明の他の実施形態に従う任意配光が可能なＬＥＤ照明装置は、各々複数のＬＥＤ２１１、２２１を実装する基板２１０、２２０が設置される支持面１１０に支持パネルを提供し、その支持面１１０の背面に垂直方向に設けられる複数の放熱フィン１２１を備える放熱部１２０、及び支持面１１０の上部側で曲面の蓋部１３０が一体に設けられたハウジング１００と、ハウジング１００の支持面１１０と蓋部１３０とがなす空間部の内側に位置して支持面１１０に設置された基板２００のＬＥＤ２１０から放出される光を反射させて、地面に配光パターンを形成する配光パターン部３００と、を含んで構成される。
【００６７】
以下、上記のように構成される本発明の他の実施形態に従う任意配光が可能なＬＥＤ照明装置の構成及び作用をより詳細に説明する。
【００６８】
まず、ハウジング１００の外形は大きく半球型の構造を有し、中央側に地面に対して水平でない支持面１１０を提供する支持パネルが設けられる。その支持面１１０の背面側支持パネルには放熱部１２０が設けられ、正面側には蓋部１３０が設けられている。
【００６９】
また、放熱部１２０の中央側には街灯支柱やその他の支持フレームが挿入されて、本発明を支柱や支持部材に結合固定できる結合孔１５０が設けられている。
【００７０】
放熱部１２０は、放熱フィン１２１が地面に対して垂直方向に複数設けられており、その放熱フィン１２１の間には気流が通過して放熱効果を上げることができるように通孔された構造を有している。
【００７１】
放熱フィン１２１の外側には放熱フィン支持部１２２が台形にその放熱フィン１２１の中央部を連結するように設けられたものと図示したが、その放熱フィン支持部１２２は省略できる。
【００７２】
ハウジング１００の支持面１１０は地面と平行でない面であり、好ましくは地面に垂直な方向に提供されることが好ましい。支持面１１０の前面側には内部に空間が設けられる曲面の形状の蓋部１３０が設けられる。蓋部１３０が曲面であるので、その蓋部１３０の内面側を反射面に加工することは困難であり、またその形状を変更することが容易でなくて、多様な配光パターンを提供することは困難である。
【００７３】
したがって、配光パターンを容易に変更できるようにするために、蓋部１３０と支持面１１０とがなす空間部の内側には配光パターン部３００が設置される。
【００７４】
配光パターン部３００の形状は多様に変更製作されて、その形状によって各々異なる配光パターンを表すものであり、図１１に図示したように、２基板２１０、２２０の間の境界に接して各基板２１０、２２０に設けられたＬＥＤ２１１、２２１の光を分割する分割部３１０と、ＬＥＤ２１１、２２１の光を地面側に反射させる反射面３２０を含んで構成される。
【００７５】
図１３は、配光パターン部３００の詳細構成図である。
【００７６】
図１３を参照すると、配光部３００は蓋部１３０の内側に収容されて、その形状によって配光パターンを変更することができる反射面３２０が提供され、その反射面３２０の左右を分割する分割部３１０が設けられている。
【００７７】
分割部３１０と反射面３２０は金属材の板構造物であり、図面ではその分割部３１０が所定の幅で設けられたものを図示したが、金属板材が反射面３２０で下向きに延びたものを使用することができ、または、必要によって省略されることもできる。
【００７８】
このように、配光パターン部３００を板状の構造にすることで、重量の増加を防止しながら、ハウジング１００の蓋部１３０の形状を変更しなくても、多様な配光パターンを提供できるようになる。
【００７９】
反射面３２０は、傾斜度の異なる平面の組み合わせまたは曲面であることがあり、これは形成しようとする配光パターンの形状によって適切に組合できる。
【００８０】
これは、本発明の任意配光が可能なＬＥＤ照明装置が街灯に使われる時に要求される配光パターンと、保安灯または室内灯に使われる時に各々要求される配光パターンの差があることがあり、同一な構造で配光パターン部３００の形状を異なるものに適用して各々照明装置の使用目的に符合する配光パターンを提供できるようになる。
【００８１】
ハウジング１００は、前述したように、一体型の構造であり、基板２１０、２２０に設けられたＬＥＤ２１１、２２１で発生する熱はその支持面１１０の背面側に設けられた放熱部１２０により放熱される。図１１では、各々分離された２基板２１０、２２０を図示及び説明したが、単一基板を使用することもでき、３個以上の分割された基板を使用することもできる。
【００８２】
ハウジング１００を一体に成形するために、放熱部１２０の放熱フィン１２１の各々は図１４に図示したように、中央部の断面幅が上下端部に比べてより大きい構造を有するようになる。これは、一体に成形するための金型工程が容易になされるようにするためである。
【００８３】
放熱フィン１２１の間には空間が設けられて、照明時の温度の差による上昇気流がその放熱フィン１２１の間の空間を円滑に通過することができる構造にして、放熱効果を上げることができるようになる。
【００８４】
前述したように、放熱フィン１２１を含む放熱部１２０の背面側の中央には結合孔１５０が形成されると共に、放熱部１２０の底面側には結合孔１５０と連通する結線空間部１４０が設けられている。
【００８５】
この結線空間部１４０は、本発明に従う照明装置の設置をより容易にするためのものであり、基板２１０、２２０に連結される配線と支柱などの支持部材で提供される配線を結線することができる空間を提供する。
【００８６】
街灯に本発明を適用する場合に、高所で作業がなされるようになり、作業者１人がハウジングを支柱に結合した後、その支柱の配線と基板２１０、２２０側の配線をその結線空間部１４０の内で結線して設置が完了するため、設置が非常に容易になり、作業人力を減らすことができる。
【００８７】
蓋部１３０に配光パターン部３００が挿入された状態で、その蓋部１３０の底面側開放部はカバー４００により異物の侵入を防止することができる。
【００８８】
図１５は、本発明の他の実施形態に従う任意配光が可能なＬＥＤ照明装置の構成図である。
【００８９】
図１５を参照すると、本発明の他の実施形態に従う任意配光が可能なＬＥＤ照明装置は、図１１を参照して説明した結線空間部１４０の底面側に結合される収容部６００をさらに含んで構成される。
【００９０】
収容部６００は内側に空間が設けられたものであり、その空間に必要によって、カメラ、無線通信中継器、アンテナなどが設置できる。
【００９１】
このような収容部６００を付加して照明装置の機能をより多様な分野に拡張させることができる。
【００９２】
本発明は上記実施形態に限定されず、本発明の技術的要旨を逸脱しない範囲内で多様に修正、変形されて実施できることは、本発明が属する技術分野で通常の知識を有する者において自明なものである。
【産業上の利用可能性】
【００９３】
本発明は、ＬＥＤの配置が固定された状態で反射板の取替により多様な配光パターンを有するようにしたものであって、ＬＥＤを固定するハウジングを同一な形態に量産可能であるので、産業上利用可能性がある。
【符号の説明】
【００９４】
１０  支持パネル
１１  放熱フィン
１２  傾斜支持部
２０、２１０、２２０  基板
２１、２１１、２２１  ＬＥＤ
３０  反射部
３１  反射面
４０  配光パターン
５０  ハウジング
５１  ヒンジ
５２  結合突出部
６０  反射板
７０  透光カバー
１００  ハウジング
１１０  支持面
１２０  放熱部
１２１  放熱フィン
１２２  放熱フィン支持部
１３０  蓋部
３００  配光パターン部
３１０  分割部
３２０  反射面
４００  カバー
１５０  結合孔
６００  収容部
【図１】
0005668175.tif 000002
【図２】
0005668175.tif 000003
【図３】
0005668175.tif 000004
【図４】
0005668175.tif 000005
【図５】
0005668175.tif 000006
【図６】
0005668175.tif 000007
【図７】
0005668175.tif 000008
【図８】
0005668175.tif 000009
【図９】
0005668175.tif 000010
【図１０】
0005668175.tif 000011
【図１１】
0005668175.tif 000012
【図１２】
0005668175.tif 000013
【図１３】
0005668175.tif 000014
【図１５】
0005668175.tif 000015
【図１４】
0005668175.tif 000016